(57)【要約】【課題】  既存の制御部を共通に使用できるようにして、開発費用及び販売価格を低めた電子レンジ及びその制御方法を提供する。【解決手段】  一つ以上の既存の調理モードを行うのに必要な調理データ及び／又は動作データを記憶する内部記憶ユニットを有する制御部と、制御部とは別途に設けられ、制御部と通信するように制御部に電気的に連結され、一つ以上の新規の調理モードを行うのに必要な調理データ及び／又は動作データを記憶する外部記憶ユニットとを含む。調理モードが設定され、外部記憶ユニットからデータの読取りができ、調理モードが新規の調理モードの一つであると、外部記憶ユニットから調理モードの調理データ及び／又は動作データを読み取る。【選択図】  図２
2004212034.tif 000002
【特許請求の範囲】
【請求項１】
一つ以上の既存の調理モードを行うのに必要な調理データ及び／又は動作データを記憶する内部記憶ユニットを有する制御部と、
前記制御部とは別途に設けられ、前記制御部と通信するように前記制御部に電気的に連結され、一つ以上の新規の調理モードを行うのに必要な調理データ及び／又は動作データを記憶する外部記憶ユニットとを含んでなることを特徴とする電子レンジ。
【請求項２】
前記電子レンジは飲食物を加熱するため電磁波を発生させるマグネトロンをさらに含み、前記調理データは、飲食物の種類及び量による調理時間と前記マグネトロンの出力値を含むことを特徴とする請求項１に記載の電子レンジ。
【請求項３】
前記電子レンジは、飲食物を調理するのに必要な調理情報及び／又は飲食物が調理されるとき発生する調理状態情報を表示する表示部をさらに含み、前記動作データは前記調理情報及び／又は前記調理状態情報を含むことを特徴とする請求項１に記載の電子レンジ。
【請求項４】
前記外部記憶ユニットはデータ記憶構造を有し、前記データ記憶構造は、
前記外部記憶ユニットの適用状態情報を記憶する第１記憶領域と、
前記一つ以上の既存の調理モードの調理データを記憶する第２記憶領域と、
前記一つ以上の新規の調理モードの調理データを記憶する第３記憶領域と、
前記一つ以上の新規の調理モードの動作データを記憶する第４記憶領域とを含むことを特徴とする請求項１に記載の電子レンジ。
【請求項５】
前記外部記憶ユニットは、データ再書込みを可能にする非揮発性メモリ装置を含むことを特徴とする請求項１に記載の電子レンジ。
【請求項６】
前記外部記憶ユニットは、ＥＥＰＲＯＭを含むことを特徴とする請求項１に記載の電子レンジ。
【請求項７】
一つ以上の既存の調理モードを行うのに必要な調理データ及び／又は動作データを記憶する内部記憶ユニットを有する制御部と、前記制御部とは別途に設けられ、前記制御部と通信するように前記制御部に電気的に連結され、一つ以上の新規の調理モードを行うのに必要な調理データ及び／又は動作データを記憶する外部記憶ユニットとを含んでなる電子レンジの制御方法において、
第１調理モードが設定され、前記外部記憶ユニットからデータの読取りができ、第１調理モードが前記新規の調理モードの一つであるとき、前記外部記憶ユニットから第１調理モードの調理データ及び／又は動作データを読み取って第１調理モードを行う段階と、
第２調理モードが設定され、前記外部記憶ユニットからデータの読取りができ、第２調理モードが前記既存の調理モードの一つであるとき、前記内部記憶ユニットから第２調理モードの動作モードを読み取り、前記外部記憶ユニットから調理データを読み取って第２調理モードを行う段階と、
第３調理モードが設定され、前記外部記憶ユニットからデータの読取りができ、第３調理モードが前記既存の調理モードの一つであるとき、前記内部記憶ユニットから第３調理モードの調理データ及び／又は動作データを読み取って第３調理モードを行う段階とを含んでなることを電子レンジの制御方法。
【請求項８】
前記制御方法は、
前記電子レンジに電源の供給が開始されるとき、前記制御部に電気的に連結された外部記憶ユニットが存在するかを判断する段階と、
前記制御部に電気的に連結された外部記憶ユニットが存在し、前記外部記憶ユニットに所要データが記憶されていると、前記外部記憶ユニットからデータの読取りが可能であると判断する段階と、
前記制御部に電気的に連結された外部記憶ユニットが存在し、前記外部記憶ユニットに所要データが記憶されていないと、前記外部記憶ユニットからデータの読取りが不可能であると判断する段階と、
前記制御部に電気的に連結された外部記憶ユニットが存在しないと、前記外部記憶ユニットからデータの読取りが不可能であると判断する段階とをさらに含むことを特徴とする請求項７に記載の方法。
【請求項９】
前記制御方法は、
前記外部記憶ユニットからデータの読取りが可能であると判断されると、外部記憶ユニットのフラグの論理値を第１論理レベルに設定する段階と、
前記外部記憶ユニットからデータの読取りが不可能であると判断されると、前記外部記憶ユニットのフラグの論理値を第２論理レベルに設定する段階とをさらに含むことを特徴とする請求項８に記載の方法。
【請求項１０】
前記外部記憶ユニットのフラグの論理値は、各調理モードが設定されるたびに前記外部記憶ユニットからデータの読取りが可能であるかを判断する指標として用いられることを特徴とする請求項９に記載の方法。
【請求項１１】
一つ以上の既存の調理モードを行うのに必要な調理データ及び／又は動作データを記憶する内部記憶ユニットを有する制御部と、
前記制御部とは別途に設けられ、前記制御部と通信するように前記制御部に電気的に連結され、一つ以上の新規の調理モードを行うのに必要な調理データ及び／又は動作データを記憶する外部記憶ユニットとを含んでなり、
前記外部記憶ユニットはデータ記憶構造を有し、前記データ記憶構造は、
前記外部記憶ユニットの適用状態情報を記憶する第１記憶領域と、
前記一つ以上の既存の調理モードの調理データを記憶する第２記憶領域と、
前記一つ以上の新規の調理モードの調理データを記憶する第３記憶領域と、
前記一つ以上の新規の調理モードの動作データを記憶する第４記憶領域とを含むことを特徴とする電子レンジ。
【請求項１２】
一つ以上の既存の調理モードに関連したデータを記憶するための記憶ユニットを内蔵する制御部と、
前記制御部とは別途に設けられ、前記制御部と通信し、一つ以上の新規の調理モードに関連した少なくとも動作データを記憶する外部記憶ユニットとを含んでなることを特徴とする電子レンジ。
【請求項１３】
制御部と、
前記制御部と通信し、一つ以上の既存の調理モードに必要なデータを記憶する内部記憶ユニットと、
前記内部記憶ユニットとは別途に設けられ、前記制御部と通信し、一つ以上の新規の調理モードに必要な少なくとも動作データを記憶する外部記憶ユニットとを含んでなることを特徴とする電子レンジ。
【請求項１４】
一つ以上の調理モードを行うのに必要なデータを記憶するための記憶ユニットを内蔵する制御部と、
前記制御部とは別途に設けられ、前記制御部と通信し、一つ以上の付け加わった調理モードに必要な少なくとも動作データを記憶する外部記憶ユニットとを含んでなることを特徴とする電子レンジ。
【請求項１５】
一つ以上の既存の調理モードに必要なデータを記憶するための内部記憶ユニットを内蔵する制御部と、
前記制御部とは別途に設けられ、前記制御部と通信し前記制御部により制御され、一つ以上の新規の調理モードに必要な少なくとも動作データを記憶する外部記憶ユニットとを含んでなることを特徴とする電子レンジ。
【請求項１６】
前記内部記憶ユニットに記憶されたデータは、前記一つ以上の既存の調理モードの所定の調理データ及び動作データを含み、
前記外部記憶ユニットに記憶されたデータは、前記一つ以上の新規の調理モードに基づく調理データ及び動作データと、前記内部記憶ユニットに予め記憶されていない前記一つ以上の既存モードのほかの調理データを含むことを特徴とする請求項１５に記載の電子レンジ。
【請求項１７】
前記電子レンジは表示部をさらに含み、前記新規の調理モード及び既存の調理モードの動作データは前記表示部に表示されるヘルプメッセージを含むことを特徴とする請求項１６に記載の電子レンジ。
【請求項１８】
前記新規の調理モード及び既存の調理モードの動作データは、前記新規の調理モード及び既存の調理モードに基づく制御アルゴリズムをさらに含むことを特徴とする請求項１７に記載の電子レンジ。
【請求項１９】
前記電子レンジは、飲食物を加熱するための電磁波を発生させるマグネトロンをさらに含み、前記既存の調理モード及び新規の調理モードに必要なデータは、飲食物の種類及び量による調理時間と前記マグネトロンの出力値を含むことを特徴とする請求項１５に記載の電子レンジ。
【請求項２０】
前記電子レンジは、飲食物が調理されるとき、飲食物を調理するのに必要な調理情報及び／又は調理状態情報を表示する表示部をさらに含み、
前記内部及び外部記憶ユニットに記憶された既存の調理モード及び新規の調理モードに必要なデータは、それぞれ前記調理情報及び／又は前記調理状態情報を含むことを特徴とする請求項１５に記載の電子レンジ。
【請求項２１】
前記外部記憶ユニットはデータ構造を有し、前記データ構造は、
前記外部記憶ユニットの状態情報を記憶する第１領域と、
前記一つ以上の既存の調理モードの調理データを記憶する第２領域と、
前記一つ以上の新規の調理モードの調理データを記憶する第３領域と、
前記一つ以上の新規の調理モードの動作データを記憶する第４領域とを含むことを特徴とする請求項１５に記載の電子レンジ。
【請求項２２】
前記外部記憶ユニットは、データの再書込みを可能にする非揮発性メモリ装置を含むことを特徴とする請求項１５に記載の電子レンジ。
【請求項２３】
前記外部記憶ユニットはＥＥＰＲＯＭを含むことを特徴とする請求項１５に記載の電子レンジ。
【請求項２４】
一つ以上の既存の調理モードを行うのに必要なデータを記憶するための内部記憶ユニットを内蔵する制御部と、前記制御部とは別途に設けられ、前記制御部と通信し、一つ以上の新規の調理モードに必要な少なくとも動作データを記憶する外部記憶ユニットとを有する電子レンジの制御方法において、
前記第１調理モードが前記新規の調理モードの一つであり、前記外部記憶ユニットが動作すると、前記外部記憶ユニットから第２調理モードを行うのに必要なデータを読み取る段階と、
前記第２調理モードが前記既存の調理モードの一つであり、前記外部記憶ユニットが動作すると、前記内部記憶ユニット及び前記外部記憶ユニットの両方から第２調理モードを行うのに必要なデータを読み取る段階と、
第３調理モードが前記既存の調理モードの一つであり、前記外部記憶ユニットが動作しないと、前記内部記憶ユニットから第３調理モードを行うのに必要なデータを読み取る段階とを含んでなることを特徴とする方法。
【請求項２５】
前記方法は、
前記外部記憶ユニットから前記データの読取りが可能であり、前記所要データが前記外部記憶ユニットに記憶されていると、前記外部記憶ユニットが動作していると判断する段階と、
前記外部記憶ユニットから前記データの読取りが不可能であり／不可能であるか、前記所要データが前記外部記憶ユニットに記憶されていないと、前記外部記憶ユニットが動作していないと判断する段階とをさらに含むことを特徴とする請求項２４に記載の方法。
【請求項２６】
前記方法は、
前記外部記憶ユニットから前記データの読取りが可能であると、記憶フラグの値を第１レベルに設定する段階と、
前記外部記憶ユニットから前記データの読取りが不可能であると、前記記憶フラグの値を第２レベルに設定する段階とをさらに含むことを特徴とする請求項２５に記載の方法。
【請求項２７】
一つ以上の既存の調理モードを行うのに必要なデータを記憶するための内部記憶ユニットを有する制御部と、
前記制御部とは別途に設けられ、前記制御部と通信し、所要データをデータ構造に記憶する外部記憶ユニットとを含んでなり、
前記データ構造は、
前記外部記憶ユニットの適用状態情報を記憶する第１領域と、
前記一つ以上の既存の調理モードのデータを記憶する第２領域と、
前記一つ以上の新規の調理モードの調理データを記憶する第３領域と、
前記一つ以上の新規の調理モードの動作データを記憶する第４領域とを含むことを特徴とする電子レンジ。
【請求項２８】
記憶された所定データを伝送する内部記憶ユニットを有する制御部と、
前記制御部とは別途に設けられ、前記制御部と通信する外部記憶ユニットであって、前記制御部によりアクセスされるとき、前記制御部の内部記憶ユニットと前記外部記憶ユニットが一つのユニットとして機能して、前記所定のデータが前記内部記憶ユニットに記憶され、前記内部記憶ユニットの前記所定データが記憶された後、前記外部記憶ユニットの前記少なくとも付加の動作データが記憶されるように、少なくとも付加の動作データを記憶し前記記憶された付加データを伝送する外部記憶ユニットとを含んでなることを特徴とする電子レンジ。
【発明の詳細な説明】
【技術分野】
【０００１】
本発明は調理装置に係り、より詳しくは高周波を用いて飲食物を調理する電子レンジに関するものである。
【背景技術】
【０００２】
電子レンジは、マグネトロンから発生する２４５０ＭＨｚの周波数の電磁波を飲食物に照射して飲食物を加熱する。電磁波が飲食物の分子を振動させると、分子の衝突により熱が発生し、この熱により飲食物が調理される。
【０００３】
図１は従来の電子レンジの構成を示すブロック図である。同図に示すように、従来の電子レンジの諸般動作を制御する制御部１０２には内部メモリ１０２ａが内蔵され、この内部メモリ１０２には、調理モードを行うことに必要な調理データ又は動作データ（例えば、アルゴリズムデータ及び／又はヘルプデータ）などが記憶される。制御部１０２の入力端には入力部１０４と外部メモリ１０６が連結される。入力部１０４には、使用者が調理モード、調理時間などを設定するための調理モード選択ボタン又は数字ボタンなどが設けられる。外部メモリ１０６は制御部１０２の内部メモリ１０２ａを補助するための記憶装置であって、各調理モードの調理データを記憶する。制御部１０２の出力端には、マグネトロン駆動部１０８、ファン駆動部１１２、トレイモータ駆動部１１６、及び表示駆動部１２０がそれぞれ連結される。マグネトロン駆動部１０８はマグネトロン１１０を駆動して電磁波を発生させる。ファン駆動部１１２は冷却ファン１１４を駆動して電子レンジの電装室（図示せず）に設けられた各種の電気部品を冷却させる。トレイモータ駆動部１１６は、トレイモータ１１８を駆動して調理室（図示せず）内のトレイ（図示せず）を回転させる。表示駆動部１２０は表示部１２２を駆動して調理モードについてのヘルプ、調理情報、設定値などを表示させる。
【０００４】
従来の電子レンジに新たな調理モードが付け加わると、付け加わった新たな調理モードに関連した調理データと動作データも新たに付け加わらなければならない。しかし、従来の電子レンジに用いられる制御部１０２の内部メモリ１０２ａが読取りモードでだけ動作するロム（ＲＯＭ）である場合にはデータの更新が不可能であるため、付け加わった調理モードに関連したデータは外部メモリ１０６に記憶される。しかし、従来の電子レンジにおいては、外部メモリ１０６の用途が各調理モードの調理データを記憶するものに限られている。例えば、従来の電子レンジの外部メモリ１０６には、それぞれの調理モードでの調理物の量に対する調理時間及びマグネトロンの出力などのデータが記憶される。結果的に、調理モードが新たに付け加わると、新たな制御部の内部メモリ１０２ａに当該調理モードの付加の動作データをさらに記憶するため、新たな制御部を開発しなければならない負担が伴う。
【発明の開示】
【発明が解決しようとする課題】
【０００５】
したがって、本発明は、新たな動作が付け加わった電子レンジを開発するとき、既存の制御部を共通に使用できるようにすることで、開発費用及び販売価格を低めた電子レンジ及びその制御方法を提供することにその目的がある。
【課題を解決するための手段】
【０００６】
前記目的を達成するため、本発明は、一つ以上の既存の調理モードを行うのに必要な調理データ及び／又は動作データを記憶する内部記憶ユニットを有する制御部と、前記制御部とは別途に設けられ、前記制御部と通信するように前記制御部に電気的に連結され、一つ以上の新規の調理モードを行うのに必要な調理データ及び／又は動作データを記憶する外部記憶ユニットとを含んでなる電子レンジを提供する。
【０００７】
前記外部記憶ユニットは、前記外部記憶ユニットの適用状態情報を記憶する第１記憶領域と、前記一つ以上の既存の調理モードの調理データを記憶する第２記憶領域と、前記一つ以上の新規の調理モードの調理データを記憶する第３記憶領域と、前記一つ以上の新規の調理モードの動作データを記憶する第４記憶領域とを含むデータ記憶構造を有する。
【０００８】
また、本発明は、第１調理モードが設定され、前記外部記憶ユニットからデータの読取りができ、第１調理モードが前記新規の調理モードの一つであるとき、前記外部記憶ユニットから第１調理モードの調理データ及び／又は動作データを読み取って第１調理モードを行う段階と、第２調理モードが設定され、前記外部記憶ユニットからデータの読取りができ、第２調理モードが前記既存の調理モードの一つであるとき、前記内部記憶ユニットから第２調理モードの動作モードを読み取り、前記外部記憶ユニットから調理データを読み取って第２調理モードを行う段階と、第３調理モードが設定され、前記外部記憶ユニットからデータの読取りができ、第３調理モードが前記既存の調理モードの一つであるとき、前記内部記憶ユニットから第３調理モードの調理データ及び／又は動作データを読み取って第３調理モードを行う段階とを含んでなることを電子レンジの制御方法を提供する。
【発明の効果】
【０００９】
本発明による電子レンジ及びその制御方法は、新たな動作が付け加わった電子レンジを開発するとき、付け加わった調理モードの調理データ及び動作データを全て外部メモリに記憶して運用することにより、既存の制御部が共通に使用できるようにする。したがって、開発前のモデルに用いられた制御部（マイコン）のスペックをそのまま活用することにより、新たな制御部の開発にかかる時間及び費用を大幅低減することができる。
【発明を実施するための最良の形態】
【００１０】
本発明による電子レンジ及びその制御方法の好ましい実施例を図２ないし図５に基づいて詳細に説明する。図２は本発明による電子レンジの構成を示すブロック図である。同図に示すように、電子レンジの諸般動作を制御する制御部２０２には内部メモリ２０２ａが内蔵されるが、この内部メモリ２０２ａは調理モードを行うのに必要な調理データ又は動作データを記憶するための記憶装置である。調理データは飲食物の種類及び量による適正調理時間、マグネトロンの出力などの値である。また、動作データは、特定飲食物を調理するとき、表示部２２２により表示されるヘルプメッセージ、使用者が選択し得る設定値の範囲などである。制御部２０２の入力端には入力部２０４と外部メモリ２０６が連結される。入力部２０４には、使用者が調理モード、調理時間などを設定するための調理モード選択ボタン、数字ボタンなどが設けられる。外部メモリ２０６は制御部２０２の内部メモリ２０２ａを補助するための記憶装置であって、データの再書込みを可能にするＥＥＰＲＯＭなどの非揮発性メモリ装置であり得、各調理モードの調理データとともに新たに付け加わった調理モードの調理データ及び動作データを全て記憶することができる。制御部２０２の出力端には、マグネトロン駆動部２０８、ファン駆動部２１２、トレイモータ駆動部２１６、及び表示駆動部２２０がそれぞれ連結される。マグネトロン駆動部２０８はマグネトロン２１０を駆動して電磁波を発生させる。ファン駆動部２１２は冷却ファン２１４を駆動して電子レンジの電装室（図示せず）に設けられた各種の電気部品を冷却させる。トレイモータ駆動部２１６は、トレイモータ２１８を駆動して調理室（図示せず）内のトレイ（図示せず）を回転させる。表示駆動部２２０は表示部２２２を駆動して調理モードについてのヘルプ、調理情報、設定値などを表示させる。
【００１１】
本発明による電子レンジの外部メモリ２０６には、既存の調理モードの調理データだけでなく、新規に付け加わった調理モードの調理データ及び動作データも記憶されて実際の調理モードで運用できる。
【００１２】
このような既存の調理モードと新たに付け加わった調理モードの構成を図３Ａ及び図３Ｂに基づいて説明する。図３Ａ及び図３Ｂは図２の電子レンジの入力部を示す図である。図３Ａは４種の調理モード（＃１〜＃４）を有する電子レンジの入力部を示す。この４種の調理モード（＃１〜＃４）は調理モード選択ボタン３０２ａで設定することができる。この場合、制御部２０２の内部メモリ２０２ａには、４種の調理モード（＃１〜＃４）に関連したアルゴリズムデータ（すなわち、電子レンジの諸般動作を制御するのに用いられる符号化データ）及び／又はヘルプデータなどの動作データが記憶され、外部メモリ２０６には４種の調理モード（＃１〜＃４）の調理データが記憶される。これに２種の調理モード（＃５及び＃６）をさらに付け加えて第２電子レンジを開発し、その入力部を図３Ｂに示すように構成することができる。図３Ｂにおいて、既存の調理モード及び新規の調理モードは調理モード選択ボタン３０２ｂで設定することができる。この場合、新たな調理モードが付け加わった電子レンジには、付け加わった２種の調理モード（＃５及び＃６）を制御するための新たな動作データ及び調理データが記憶されなければならず、制御部２０２はこれを運用して既存の調理モード及び新規の調理モードを具現しなければならない。このように、新たな調理モードが付け加わる前の調理モードを既存の調理モードとすると、本発明による電子レンジの内部メモリ２０２ａには既存の調理モードの動作データ及び／又は調理データが記憶され、外部メモリ２０６には、内部メモリ２０２ａにそれ以上記憶できなかった既存の調理モードの調理データとともに新規の調理モードの動作データ及び調理データが記憶される。したがって、本発明による電子レンジの制御部２０２は、選択された調理モードが既存のものであると、内部メモリ２０２ａから動作データ及び調理データを読み取り、必要な場合、外部メモリ２０６からも調理データを読み取って当該調理モード（既存）を行い、新規の調理モードが選択されると、外部メモリ２０６から当該調理モードの動作データ及び調理データを読み取って調理動作を行う。
【００１３】
図４は、本発明による電子レンジにおいて、外部メモリ２０６のデータ記憶構造を示すものである。同図に示すように、外部メモリ２０６の第１ブロック（ＢＬＫ１）には外部メモリを採用したモデルの情報（モデル番号）が記憶される。第２ブロック（ＢＬＫ２）には既存の調理モード（＃１〜＃４）の調理データが記憶され、第３ブロック（ＢＬＫ３）には新規の調理モード（＃５、＃６）の動作データが記憶される。第４ブロック（ＢＬＫ４）には新規の調理モード（＃５、＃６）の動作データが記憶される。制御部２０２は、使用者により設定される調理モードのデータを内部メモリ２０２ａ及び／又は外部メモリ２０６から読み取り、当該調理動作が行われるように電子レンジの諸般動作を制御する。
【００１４】
このような本発明による電子レンジの制御方法を図５に基づいて説明する。図５は本発明による電子レンジの調理モードによるデータ読取り制御アルゴリズムを示すフローチャートである。同図に示すように、使用者により電子レンジの電源スイッチがオンされ、電源供給が開始されると（５０２）、制御部２０２に電気的に連結された外部メモリ２０６が存在するかを判断する（５０４）。外部メモリ２０６が存在すると、外部メモリフラグの値を１にセットし（５０６）、外部メモリ２０６が存在しないか、あるいは外部メモリ２０６が存在してもデータが記憶されていないと、外部メモリフラグの値を０にリセットさせる（５０８）。このように、電源の供給後、外部メモリ２０６の存在有無によって決定された外部メモリフラグの値は、以後に電源の供給が切れるまで実施される全ての調理モードに活用される。
【００１５】
この状態で、使用者により調理モードが設定されると（５１０）、制御部２０２はまず外部メモリフラグの値が１であるかを判断する（５１２）。外部メモリフラグの値が１であると、制御部２０２は設定された調理モードが新規の調理モードであるかを判断する（５１４）。一方、外部メモリフラグの値が０であると、外部メモリが存在しないかあるいは外部メモリ２０６にデータが記憶されていない場合なので、制御部２０２の内部メモリ２０２ａにアクセスして当該調理モードの動作データ及び調理データを読み取る（５１６）。
【００１６】
設定された調理モードが新規の調理モードであると、外部メモリ２０６にアクセスして当該調理モードの動作データ及び調理データを読み取る（５１８）。一方、設定された調理モードが既存の調理モードであると、内部メモリ２０２ａにアクセスして当該調理モードの動作データを読み取った後（５２０）、外部メモリ２０６にアクセスして当該調理モードの調理データを読み取る（５２２）。各場合において、データが全て読み取られると、制御部２０２は当該調理モードを行うための電子レンジの諸般動作を制御する（５２４）。
【図面の簡単な説明】
【００１７】
【図１】従来の電子レンジの構成を示すブロック図である。
【図２】本発明による電子レンジの構成を示すブロック図である。
【図３】図３Ａ及び図３Ｂは、図２の電子レンジの入力部を示すもので、既存の調理モードと新たに付け加わった調理モードについての構成を説明する図である。
【図４】本発明による外部メモリのデータ記憶構造を示す図である。
【図５】本発明による電子レンジの既存の調理モード及び新たに付け加わった調理モードによるデータ読取り制御アルゴリズムを示すフローチャートである。
【符号の説明】
【００１８】
２０２  制御部
２０２ａ  内部メモリ
２０４  入力部
２０６  外部メモリ
２０８  マグネトロン駆動部
２１０  マグネトロン
２１２  ファン駆動部
２１４  冷却ファン
２１６  モータ駆動部
２１８  トレイモータ
２２０  モータ駆動部
２２２  表示部
【図１】
2004212034.tif 000003
【図２】
2004212034.tif 000004
【図３】
2004212034.tif 000005
【図４】
2004212034.tif 000006
【図５】
2004212034.tif 000007